(57)【特許請求の範囲】
【請求項１】
基地局と移動局の間で閉ループキャパシティスケジューリングをサポートするためのアップリンクシグナリングを提供するシステムであって、基地局と移動局の両方がそれぞれ、優先度及びＱｏＳにおいて互いに異なる複数のデータフローを実行するシステムにおいて、
前記移動局は、次の複数ステップに従って、動作するものであり、前記複数ステップは、
前記データフローの組合せに対するキャパシティの組合せを用意するステップと；
前記データフローの組合せに対する前記キャパシティの組合せを変更し、キャパシティの変更された組合せを得る変更ステップと；
前記キャパシティの変更された組合せに基づき、基地局に対して要求するアップリンクキャパシティを決定するステップと；
を有し、
前記変更ステップは、
優先度及びＱｏＳに関して前記データフローを複数のグループに分割するステップと；
前記複数のグループにおいて個別のサブポインタで指定することにより、前記キャパシティの変更された組合せを得るステップと；を有することを特徴とするシステム。
【請求項２】
請求項１記載のシステムにおいて、前記分割するステップでは、高い優先度の第１のグループと、低い優先度の第２のグループとに分けられることを特徴とするシステム。
【請求項３】
請求項２記載のシステムにおいて、前記複数ステップは、
キャパシティリクエストフレーム内に、１つまたは複数のサブポインタをあらわす信号を配列し送信するステップを有することを特徴とするシステム。
【請求項４】
請求項３記載のシステムにおいて、前記送信するステップは、キャパシティリクエストフレーム内にサブポインタをあらわす信号を所定の周期で送信するステップを有することを特徴とするシステム。
【請求項５】
請求項４記載のシステムにおいて、前記送信するステップは、キャパシティリクエストフレーム内にあるサブポインタをあらわす信号と共に、フロー識別子を任意の周期で送信するステップを有することを特徴とするシステム。
【請求項６】
請求項１記載のシステムにおいて、前記複数ステップは、
基地局が通知するキャパシティ割当て情報に基づいて、前記サブポインタの示す値を変更するステップを有することを特徴とするシステム。
【請求項７】
基地局と移動局の間で閉ループキャパシティスケジューリングをサポートするためのアップリンクシグナリングを提供する方法であって、基地局と移動局の両方がそれぞれ、優先度及びＱｏＳにおいて互いに異なる複数のデータフローを実行する方法において、前記方法は、次の複数ステップ：
移動局にて、前記データフローの組合せに対するキャパシティの組合せを用意するステップと；
移動局にて、前記データフローの組合せに対するキャパシティの組合せを変更し、キャパシティの変更された組合せを得る変更ステップと；
移動局において、キャパシティの変更された組合せに基づき、基地局に対して要求するアップリンクキャパシティを決定するステップと；
を有し、
前記変更ステップは、
優先度及びＱｏＳに関して前記データフローを複数のグループに分割するステップと；
前記複数のグループにおいて個別のサブポインタで指定することにより、前記キャパシティの変更された組合せを得るステップと；を有することを特徴とする方法。
【請求項８】
請求項７記載の方法において、前記分割するステップでは、高い優先度の第１のグループと、低い優先度の第２のグループとに分けられることを特徴とする方法。
【請求項９】
請求項８記載の方法において、
キャパシティリクエストフレーム内にサブポインタを表わす信号を配列し送信するステップを更に有することを特徴とする方法。
【請求項１０】
請求項７記載の方法において、
基地局が通知するキャパシティ割当て情報に基づいて、前記サブポインタの示す値を変更するステップを更に有することを特徴とする方法。
【請求項１１】
優先度及びＱｏＳにおいて互いに異なる複数のデータフローを送信する移動局において、
前記データフローに対するキャパシティの組合せを表すキャパシティ割り当てメッセージを受信するための受信手段と；
前記データフローに対する前記キャパシティの組合せを変更し、キャパシティの変更された組合せを得る変更手段と；
前記キャパシティの変更された組合せを表すキャパシティリクエストメッセージを、キャパシティリクエストメッセージフレームの形式で送信するための送信手段と；を有し、
前記変更手段は、
優先度及びＱｏＳに関して前記データフローを複数のグループに分割する手段と；
前記複数のグループにおいて個別のサブポインタで指定することにより、前記キャパシティの変更された組合せを得る手段と；を有することを特徴とする移動局。
【請求項１２】
請求項１１記載の移動局において、キャパシティリクエストメッセージフレームは、２つの異なったフレームフォーマットのうちの選択された一方を有することを特徴とする移動局。
【請求項１３】
請求項１１あるいは１２記載の移動局と通信を行う基地局において、該基地局は、
前記キャパシティリクエストメッセージに応答して、前記データフローのキャパシティ割り当てを含む前記キャパシティ割り当てメッセージを生成するための手段と；
前記キャパシティ割り当てメッセージを、前記移動局に送信する送信手段と；を有することを特徴とする基地局。
【発明の詳細な説明】
【技術分野】  本発明は、移動通信システムにおけるデータパケット伝送に関し、特に、移動局から基地局へパケットを伝送するための閉ループキャパシティスケジューリングに関する。
【背景技術】  ＷＣＤＭＡシステムにおいて、アップリンクキャパシティは緩やかに管理されており、移動局は、無線ネットワーク制御装置（ＲＮＣ）によって制御されている最大速度まで送信が可能である。ＲＮＣでは統計的多重化の制御が用いられており、ノイズライズの変動が大きいため、大きなノイズライズマージンが要求され、結果的にアップリンクキャパシティの損失を招く。
ＨＳＤＰＡの姉妹技術として、移動局と基地局間の、閉ループキャパシティスケジューリングが３ＧＰＰで提案されている。参考文献として、非特許文献１（３ＧＰＰＴＲ２５．８９６  ｖ１．０．０“Ｆｅａｓｉｂｉｌｉｔｙ  Ｓｔｕｄｙ  ｆｏｒ  Ｅｎｈａｎｃｅｄ  Ｕｐｌｉｎｋ  ｆｏｒ  ＵＴＲＡ  ＦＤＤ”（２００３−９））が挙げられる。ＥＤＣＨにおいて、セルのノイズライズ変動がより小さくなるよう、ＲＮＣの代わりに基地局が移動局の最大容量を制御する。基地局は、無線チャネル状況の素早い変化に、ＲＮＣよりも早く対応することが可能である。それ故、基地局におけるキャパシティスケジューリングは、ＲＮＣにおけるキャパシティスケジューリングよりも効果的となる。現在検討中のスケジューリング方法には二種類あり、一つは‘伝送速度スケジューリング’で、もう一つは‘伝送速度及び伝送時間スケジューリング’である。
ＷＣＤＭＡシステムにおいて、アップリンクパケットデータ伝送における優先度処理は、より高い優先度のデータパケットが、より低い優先度のデータパケットよりも先に送信されるという形で行われる。それゆえ、最も高い優先度を有するデータパケットは、移動局の最大限利用可能な伝送速度を使用することが許され、もし残りの電力があれば、次に高い優先度のデータパケットが送信される。優先度処理に加えて、ＱｏＳ処理、即ち補償ビットレート（ＧＢＲ）がＨＳＤＰＡに導入された。これは、ＱｏＳを考慮したダウンリンクパケット伝送における無線キャパシティスケジューリングの一種であり、パケットスケジューラが、優先度に加えて、データパケットの要求ＱｏＳを満足するための十分な無線キャパシティを提供するように、データパケットの要求ＱｏＳを考慮するものである。
ＷＣＤＭＡシステムにおいて、移動局は、キャパシティの組合せ（ＣＣ）の‘セット’を用いて、複数のデータフローに対してアップリンクキャパシティを割り当てる。セット内の各ＣＣは、どのように全容量が複数のフローに分割されるかを示しており、一方、各ＣＣの全容量ＴＣは互いに異なる値をもつかもしれない。それ故ＲＮＣは、移動局が許可されたＣＣの“サブセット”のみを使用するように制限することによって、全アップリンク伝送容量を制限することができる。従って、要求されるシグナリングは、ＲＮＣから移動局へのサブセットを通知するシグナリングである。
同様に、ＥＤＣＨシステムにおいて、基地局は、移動局が許可されたＣＣの“サブセット”のみを使用するよう制限することにより、全アップリンク伝送容量を制限することができる。ＣＣのサブセットを示すためのシグナリングのオーバーヘッドを削減するために、ポインターハンドリングというものが提案されている。この方法では、ＣＣのセットを全容量の順に並べることが必要となる。例えば、第１図のＣＣを全容量の順に並べると、第２図のようになる。基地局は、許可されたＣＣのサブセットを通知する場合、例えば、キャパシティスケジューリングインターバルごとに、最初に差動シグナリングをセルの全ての移動局に送信する。更に移動局は、もし、データフローの要求優先度や要求ＱｏＳを満たせない場合は、許可されたＣＣ内で、サブセットの変更を要求することができる。従って、従来の差動シグナリングも、移動局がより高い、または低いキャパシティを必要とする場合、移動局が＋１または−１を送信することにより、許可されたＣＣのサブセット変更を要求することが可能である。差動シグナリングは、アップリンク及びダウンリンクキャパシティをデータ送信用に確保するために、許可されたＣＣのセットをシグナリングするオーバーヘッドを出来るだけ削減する。
従来の差動シグナリングは、帯域使用効率は優れているが、複数のデータフローに適用される場合に潜在的な問題がある。第２図に示されている例において、移動局が特定のフローに対して割り当てる容量を削減あるいは増加したい場合に、一つ以上の差動シグナリングメッセージが必要となる。例えば、現在ポインタがＣＣ３を示していて、移動局がフロー２のフローキャパシティを６４ｋｂｐｓまで増加させたい場合、２つの連続した＋１のシグナリングが必要となり、キャパシティスケジューリングの待ち時間が増加する。各フローのキャパシティの分解能をより詳細にすることにより、ＣＣのセットの総数が大きくなる場合、待ち時間はさらに増え、キャパシティスケジューリングの効率が落ちることになる。
また、差動シグナリングには更なる問題がある。第２図に示されている例において、現在のポインタがＣＣ３を示しており、フロー３の容量が８ｋｂｐｓのままであるにもかかわらず、移動局がフロー１の容量を１２８ｋｂｐｓまで増加させたい場合、２つの連続した＋１のシグナリングが必要となる。１番目の＋１シグナリングの後、ポインタはＣＣ２を示すと、フロー３はデータを全く送信できなくなる。この問題は、複数フローに、より微細な分解能が用いられた場合に、更に複雑になる。
さらに、複数のフローの複数優先度及びＱｏＳの処理もまた、差動シグナリングの問題を有している。一つのフローが高い優先度を有し、他のフローが低い優先度を有している場合、高い優先度のフローの容量変更にかかる待ち時間が、低い優先度のフローの分解能に応じて増加する。第２図の例において、フロー１が高い優先度のフローである場合、２つの連続した差動シグナリングが必要となる。この問題は、低い優先度のフローの分解能が増加したり、あるいは多重化フローの全体量が増加した場合に、より複雑となる。そのため、フローの優先度とそれに関連するＱｏＳに基づいて、迅速な適用が可能な装置であることが必要となる。
また、第３図において、移動局１と移動局２が各々複数の優先度の異なるフローを有する場合を考える。移動局１では優先度の高いフロー１ａはキャパシティ増加、優先度の低いフロー１ｂはキャパシティ減少を要求し、移動局２では優先度の高いフロー２ａはキャパシティ減少、優先度の低いフロー２ｂはキャパシティ増加を要求している。従来の差動シグナリングでは、各移動局は複数フローのキャパシティ要求を合成し、一つのキャパシティリクエストとして基地局に通知する。従って、この第３図では、移動局１、移動局２は共に一つのキャパシティ増加リクエストを送信している。しかし、基地局は各移動局のどのフローがキャパシティ増加を要求しているかを判別できないため、残量キャパシティ不足で一方のキャパシティ増加リクエストにのみしか対応できない場合に、優先度の高いフローに優先的にキャパシティを割り当てることができない。従って、システム全体としてのＱｏＳ達成率が低下するという問題点がある。
【発明の開示】
本発明の第１の態様によると、システムあるいは方法は、基地局と移動局の間で閉ループキャパシティスケジューリングをサポートするためのアップリンクシグナリングに用いられるためのものであって、基地局と移動局の両方ともに、異なる優先度及びＱｏＳをもつ複数のデータフローを実行する。
移動局は、次の複数ステップ：
データフローの組合せに関連して、キャパシティの組合せを用意するステップと；
キャパシティの組合せを変更し、キャパシティの変更組合せとするステップと；
キャパシティの変更組合せに基づき、アップリンクキャパシティを決定するステップと；
に従って、データフローに対してアップリンクキャパシティを割り当てる。
前記変更するステップは、
優先度及びＱｏＳに応じてフローを複数のグループに分割するステップと、
前記複数のグループに対して個別のサブポインタを用いて、キャパシティの変更組合せを得るステップとを有する。
本発明のもう一つの態様によると、移動局は、優先度及びＱｏＳが互いに異なる複数のデータフローを送信する。前記移動局は、
データフローに対するキャパシティの組合せを示すためのキャパシティ割り当てメッセージを受信するための受信手段と；
キャパシティの組合せを変更し、キャパシティの変更組合せとする変更手段と；
キャパシティの変更組合せに関するキャパシティリクエストメッセージを、キャパシティリクエストメッセージフレームの形式で送信するための送信手段と；を有する。
本発明の更にもう一つの態様によると、基地局は、上記移動局と通信する。該基地局は、
キャパシティリクエストメッセージに応答して、データフローのキャパシティ割り当てを含むキャパシティ割り当てメッセージを生成するための手段と；
キャパシティ割り当てメッセージを、前記移動局に送信する送信手段と；を有する。
上述した“改良差動シグナリング”の第１の利点は、従来の差動シグナリングと同じオーバーヘッドであることである。これは、データ送信のために、ダウンリンク及びアップリンク容量の両方を節約できる。
上述した“改良差動シグナリング”の第２の利点は、複数フロー間の分離キャパシティ制御である。従来の差動シグナリングは、結合キャパシティ制御をもたらす。ここで個々のフローキャパシティ制御は互いに連結しているため、フローキャパシティ内の変更は、他のフローのフローキャパシティにおいて好ましくない変更をもたらすことになる。複数サブポインタを導入することによって、この連結は解決することができる。
上述した“改良差動シグナリング”の第３の利点は、不均衡な帯域割り当てを可能とすることであり、より低い優先度を有し且つあまり厳しくないＱｏＳ要求よりも、高い優先度とより厳しいＱｏＳ要求のフローセットにより大きなシグナリング帯域を割り当てることができる。
上述した”改良差動シグナリング”の第４の利点は、上り回線でこれを導入することで、基地局は複数のフローを有する複数の移動局間でも、優先度やＱｏＳを考慮したキャパシティスケジューリングを可能とする。従って、システム全体としてＱｏＳ達成率を向上させることができる。
【図面の簡単な説明】  第１図は、３個のデータフローが互いに多重化される場合の、キャパシティの組合せ例を示す図である。
第２図は、３個のデータフローが互いに多重化される場合に適用される、従来の差動シグナリングを示す図である。
第３図は、従来の差動シグナリングの問題点の説明に使用するシステム図である。
第４図は、本発明の第１の実施形態の説明に使用する図であり、アップリンクキャパシティがデータフローのＱｏＳを考慮してスケジューラによって制御されている、基地局と移動局との間の通信を示す図である。
第５図は、本発明の第１の実施形態の説明に使用するシステム図であり、多重ＱｏＳトラフィッククラスと優先度処理を可能にするためのキャパシティスケジューリングの概略図である。
第６図は、本発明の第１の実施形態の説明に使用するフローチャートであり、フローキャパシティ制御装置を説明しているフローチャートである。
第７図は、本発明の第１の実施形態の説明に使用するフローチャートであり、ＧＢＲトラフィッククラスのためのフローキャパシティ制御装置のフローチャートである。
第８図は、本発明の第１の実施形態の説明に使用するフローチャートであり、ＴＢＲトラフィッククラスのためのフローキャパシティ制御装置のフローチャートである。
第９図は、本発明の第１の実施形態の説明に使用するフローチャートであり、複数ＱｏＳ及び複数優先度フローを可能にするために、階層的キャパシティ割り当てが説明されている、キャパシティスケジューラのフローチャートである。
第１０図は、本発明の第１の実施形態の説明に使用するフ図であり、多重フロー及び複数の移動局をサポートするキャパシティリクエストアップリンク制御チャネルの概略図である。
第１１図は、本発明の第１の実施形態の説明に使用する図であり、３個のデータフローが互いに多重化される場合に適用される、改良差動シグナリングの例を示す図である。
第１２図は、本発明の第１の実施形態の説明に使用する図であり、アップリンクシグナリングにおけるキャパシティリクエストメッセージのフレームフォーマットを示す図である。
第１３図は、本発明の第１の実施形態の説明に使用する図であり、ＣＲＭフレームフォーマットＡ及びＢを使用したアップリンクシグナリングの時間の経過を示す図である。
第１４図は、本発明の第１の実施形態の説明に使用するフローチャートであり、ＣＲＭフレームフォーマットＢに対するＣＲ選択手順を説明するために使用するフローチャートである。
第１５図は、本発明の第２の実施形態の説明に使用するシステム図であり、第５図と同様な図である。
以下に、本明細書で用いた符号の説明をしておく。
１１  移動局１
１２  移動局２
１３  基地局におけるキャパシティスケジューラ
１４  キャパシティスケジューリング（例）
２１１  移動局におけるフローキュー
２１２  ＦＣＣ（フローキャパシティ制御装置）
２１３  ＣＲＣ（キャパシティリクエスト制御装置）
２１３０  ＰＨＲ（伝送電力ヘッドルーム）
２１４  ＣＡＣ（キャパシティ割り当て制御装置）
２１５  ＴＦＣＣ（輸送フォーマット組合せ制御装置）
２１６  ＥＮＣ（符号化器）
２１７  ＦＭＵＸ（フロー多重化器）
２２１  ＦＤＥＭＵＸ（フロー分離器）
２２２  ＤＥＣ（復号化器）
２２３  基地局におけるフローキュー
２２４  ＲＥＴＸＣ（再送制御装置）
２２５  ＣＳ（キャパシティスケジューラ）
２２６  受信キャパシティリクエスト
２２７  キャパシティ割り当て
２４１  ＵＬ−ＣＣＨ（アップリンク制御チャネル）
２４２  ＤＬ−ＣＣＨ（ダウンリンク制御チャネル）
２４３  ＵＬ−ＤＣＨ（アップリンクデータチャネル）
３１０  ＡＣ（割り当てキャパシティ）
３３  ＡＣＲＴ（再送用割り当てキャパシティ）
３５  ＡＣＮＴ（新伝送用割り当てキャパシティ）
３６  ＣＲ（キャパシティリクエスト）
３６０  ＬＯＣ（残部キャパシティ）
４１  ＮＤＣ（新データキャパシティ）、ＡＶＣ（フローに対する現在利用可能なキャパシティ）、ＲＣＲ（再送用要求キャパシティ）
４２  ＡＣＲＴ（再送用割り当てキャパシティ）、ＡＣＮＴ（新伝送用割り当てキャパシティ）、ＱＣ（現在のキューバッファサイズ）、ＭＣ（最大容量）
４３  ＣＲ（キャパシティリクエスト）
５１  ＮＤＣ（新データキャパシティ）、ＡＶＣ（フローに対する現在利用可能なキャパシティ）、ＲＣＲ（再送用要求キャパシティ）、ＡＣＲＴ（再送用割り当てキャパシティ）
５２  ＴＣ（ターゲットキャパシティ）、ＭＡＡＣ（瞬間キャパシティの移動平均）
５３  ＲＣ（ＴＣを達成するための要求キャパシティ）、ＭＣ（最大容量）
５３０  Ａｄｊ（ｘ）（アドジャストメント関数）、Ｍａｄｊ（最大アドジャストメント）
５４  ＡＣＮＴ（新伝送用割り当てキャパシティ）、ＱＣ（現在のキュー・バッファ・サイズ）
５５  ムービングアベレージ関数（ＭＡ（ｘ，ｄ，ａ）  ｘ（ｎ）＝ａ＊ｘ（ｎ−１）＋（１−ａ）＊ｄ）、アルファ（ムービングアベレージ係数）
５６  ＣＲ（キャパシティリクエスト）
６１０  再送用全割り当てキャパシティ
６２０  最高優先フローの最小ＱｏＳに対する全割り当てキャパシティ
６４０  最高優先フローの追加ＱｏＳに対する全割り当てキャパシティ
ＡＢＲ  利用可能ビットレート
ＢＥ  ベストエフォート
ＣＲ  アップリンクキャパシティリクエスト
ＣＡ  アップリンクキャパシティ割り当て
ＧＢＲ  補償ビットレート
ＴＢＲ  ターゲットビットレート
ＱｏＳ  サービス品質
ＲＮＣ  無線ネットワーク制御装置
ＷＣＤＭＡ  広帯域符号分割多元接続
【発明を実施するための最良の形態】  以下に図面を参照して本発明の実施の形態につき詳細に説明する。
（第１の実施形態）
まず、本発明の第１の実施形態に関して説明する。
本発明は、アップリンクパケットデータ伝送において、複数ＱｏＳ及び複数優先度をサポートするパケットスケジューリングシステムを提供する。第４図に示されているように、第４図の基地局１３は、アップリンクにおいて、第４図のキャパシティリクエスト１１０を交換することによって、セル内の第４図の移動局１１及び１２のアップリンク伝送キャパシティを、ダウンリンクにおいて、第４図のキャパシティ割り当て１２０を制御する。
第４図のキャパシティスケジューリング１３は、（第４図の１４で示されているように）アップリンクキャパシティを効率的に共用するために、移動局伝送データパケットの伝送速度及び伝送時間が制御されている。スケジューリングタイミングあるいはインターバル（第４図の１４０）は、キャパシティスケジューリングの決定がなされるタイミングのことであり、この決定は、次のスケジューリングタイミングまで有効である。移動局は、許可された伝送速度で、スケジューリングインターバル内で伝送を行う。
第４図に示されているシステムにおいては、各移動局が複数のアップリンクデータフローを有しており、各フローには、ＱｏＳ要求及び優先度で特徴づけられるトラフィッククラスをもっている。
第４図に図示されているトラフィッククラスは、例えば、補償ビットレート（ＧＢＲ）、ターゲットビットレート（ＴＢＲ）、利用可能ビットレート（ＡＢＲ）といったものである。ＧＢＲ及びＴＢＲは、データサービスにおけるストリームの型についてのトラフィッククラスの例であり、一方ＡＢＲはベストエフォートサービスを表している。フロー優先度は、ユーザーの差別化（例えば、ビジネスか、ホームユーザーか）や、あるいはデータサービスの差別化（例えば、特別料金を払っているサービスか、経済的サービスであるか）に使用することが可能である。同時にデータサービスを提供する（例えば、ビデオストリームとファイル送信を同時に行うなど）ために、１つ以上のデータフローを有効とするように、複数のフローが多重化される。
第５図は、複数の移動局及び基地局を有する、本発明のシステム構造の詳細を示している。移動局に含まれるものは、フローキャパシティ制御装置（ＦＣＣ）、キャパシティリクエスト制御装置（ＣＲＣ）、フローキュー（フロー待ち行列）、輸送フォーマット組合せ制御装置（ＴＦＣＣ）、フロー多重化器（ＦＭＵＸ）、そして符号化器（Ｅｎｃ）である。基地局に含まれるものは、キャパシティスケジューラ（ＣＳ）、復号化器（ＤＥＣ）、フロー分解器（ＦＤＥＭＵＸ）、再送制御装置（ＲＥＴＴＸ）とフローキューである。
移動局において、アップリンクデータフローキュー（第５図の２１１）は、アップリンクで送信されるデータパケットを保存している。新しいデータフローを確立する際に、フローキューは、フローキャパシティ制御装置（第５図の２１２）に入力され、無線ネットワーク制御装置（ＲＮＣ）はフローキャパシティ制御装置にＱｏＳパラメータ、独自のフローＩＤ番号、初期容量についての信号を送信する。ＦＣＣは、フローの要求ＱｏＳやフローバッファサイズに基づいて、データフローの要求アップリンクキャパシティを計算する。ＦＣＣは、次のスケジューリングインターバルに必要な、再送キャパシティ、最小ＱｏＳ及び追加ＱｏＳキャパシティを計算する。最小ＱｏＳキャパシティは、最小ＱｏＳ基準を満たすために必要なキャパシティであり、追加ＱｏＳキャパシティは、最小ＱｏＳ基準を超えた過剰キャパシティである。ＣＲＣは、再送キャパシティ、最小ＱｏＳキャパシティ及び追加ＱｏＳキャパシティの合計としてキャパシティリクエストを計算する。移動局におけるすべてのフローのＦＣＣによって計算されるキャパシティリクエストは、キャパシティリクエスト制御装置（第５図の２１３）に送られる。ＣＲＣは、現在の利用可能な送信電力残存量（第５図の２１３０）を計算し、収容可能なアップリンクキャパシティの全容量を計算する。もし全フローのキャパシティリクエストの合計が、収容可能なアップリンクキャパシティよりも大きい場合には、ＣＲＣは、最も優先度の低いフローから最も高い優先度のフローの順に、キャパシティリクエストの追加ＱｏＳ部分を削減する。もし、追加ＱｏＳキャパシティを含まないキャパシティリクエストの合計が、なお収容可能容量より大きい場合には、ＣＲＣは、最も優先度の低いフローから最も優先度の高いフローの順に、キャパシティリクエストの最小ＱｏＳキャパシティ部分を削減する。それでも尚十分でなければ、ＣＲＣは、最も優先度の低いフローから最も優先度の高いフローの順に、キャパシティリクエストの再送キャパシティ部分を削減していく。ＣＲＣはキャパシティリクエストを、キャパシティリクエストメッセージとして多重化した後、アップリンク制御チャネルを介して基地局に送信する。
各スケジューリングインタイミングの最初に、基地局のキャパシティスケジューラ（第５図の２２５）は、アップリンクにおける全受信電力を使用して、非スケジューラブル及びスケジュール可能なアップリンクキャパシティを両方計算する。キャパシティスケジューラ（ＣＳ）はまた、報告された送信電力残存量及びアップリンクにおける全受信電力を使用して、セル内の各移動局の最小送信電力残存量を計算する。最小送信電力残存量は、次のスケジューリングインターバルにおける、移動局の最大伝送電力を表わす。基地局は、割り当て送信電力残存量における、各移動局の最大収容可能容量を計算する。キャパシティスケジューラは、最大収容可能容量とキャパシティリクエストの合計を比較し、もし前者が後者よりも小さい場合には、キャパシティリクエストの追加ＱｏＳ部分が、最も優先度の低いフローから最も優先度の高いフローの順に削減されていく。これでも十分でない場合には、キャパシティリクエストの最小ＱｏＳ部分が、最も優先度の低いフローから最も優先度の高いフローの順に削減されていく。これでもなお十分でない場合には、キャパシティリクエストの再送部分が、最も優先度の低いフローから最も優先度の高いフローの順に削減されていく。スケジュール可能なキャパシティは、フロー情報及びキャパシティリクエストを使用して、全ての移動局のフローに分配される。各フローに対する割り当てキャパシティは、再送キャパシティ、最小ＱｏＳキャパシティ及び追加ＱｏＳキャパシティを含む。基地局は、各フローに対してキャパシティ割り当てを多重化し、対応する移動局に送信する。
移動局におけるキャパシティ割り当て制御装置（第５図の２１４）は、ダウンリンク制御チャネルを介して、基地局からフローに対するキャパシティ割り当て（ＣＡ）を受信する。そしてまた、利用可能な最大送信電力を使用して、収容可能なアップリンクキャパシティを計算する。もし受信されたＣＡの合計が収容可能なアップリンクキャパシティよりも大きい場合には、ＣＡＣは、最も優先度の低いフロー最も優先度の高いフローの順に、ＣＡの追加ＱｏＳ部分を削減していく。これでも十分でない場合には、ＣＡＣは、最も優先度の低いフローから最も優先度の高いフローの順にＣＡの最小ＱｏＳ部分を削減していく。それでも尚十分でない場合には、ＣＡＣは、最も優先度の低いフローから最も優先度の高いフローの順に、ＣＡの再送部分を削減していく。
移動局では、アップリンクデータ伝送が以下の方法で行われる：トランスポートフォーマットコンビネーション制御装置（ＴＦＣＣ）（第５図における２１５）は各データフローに対する割り当てキャパシティを収集し、各フローが、許可フローキャパシティまでデータパケットを送るという方法によって、トランスポートフォーマットコンビネーションを計算する。新しいデータ伝送より先に、各フローに対して再送が割り当てられ、割り当てキャパシティの残りが、新しいデータ伝送に使用される。一度ＴＦＣが選択されると、フローキューからのデータパケットが、第５図の符号化器２１６によって符号化され、第５図のＦＭＵＸ２１７によって多重化される。
基地局では、アップリンクデータ受信が以下の方法で行われる：フロー分解器（ＦＤＥＭＵＸ）２２１は、受信したビットストリームを分離して、分離サブビットストリームとし、これらは第５図の復号化器（ＤＥＣ）２２２によって復号化される。復号化に成功したデータパケットは、その後それぞれのフローキュー２２３に保存される。ＤＥＣ２２２は、各データパケットの復号化状態を再送制御装置（第５図における２２４）に伝え、再送制御装置はその状態をアップリンクキャパシティスケジューラ（ＣＳ）２２５に伝える。基地局は、対応する移動局に検出状態を伝え、移動局は送信状態を受信する。
基地局において、移動局からのキャパシティリクエスト（ＣＲ）が受信され（第５図における２２６）、キャパシティスケジューラ（ＣＳ）２２５に与えられる。その後、キャパシティ割り当て（ＣＡ）がＣＳ２２５によって生成され、移動局に送信される（第５図における２２７）。アップリンク制御チャネルにおいて（第５図における２４１）、ＣＲが移動局から基地局へ送信される。各ＣＲは、フローに対する要求キャパシティとＦＩＤを含んでいる。ＣＲは移動局で符号化され、基地局で復号化されることが望ましい。ダウンリンクエアインターフェース（第５図における２４２）において、ＣＡは基地局から移動局へと送信される。各ＣＡは、フローに対する許可キャパシティと移動局のＦＩＤを含んでいる。
第６図には、フローキャパシティ制御装置の一構造が示されている。この制御装置が実行される際の詳細については、フローのトラフィッククラスによるが、この図は全てのトラフィッククラスに共通する基本的な（もっとも重要な）手続きを示している。ＦＣＣは、スケジューリングインターバルと少なくとも同じ時間内に実施される（第６図における３１）。ＦＣＣの入力パラメータは、フローに対する現在の割り当てキャパシティ（ＡＣ）、再送用要求キャパシティ（ＲＣＲ）、そしてフローに関連するＱｏＳパラメータである。各トラフィッククラスは独自のＱｏＳパラメータのセットを有することが好ましい。ＦＣＣの出力パラメータは、再送用割り当てキャパシティ（ＡＣＲＴ）、新伝送用割り当てキャパシティ（ＡＣＮＴ）、そしてキャパシティリクエスト（ＣＲ）である。まず初めに、ＦＣＣは、パケットデータ要求遅延を満足するように、再送用要求キャパシティを計算する（第６図における３２及び３３）。要求遅延は、ＦＣＣが再送に必要なキャパシティをなるべく多く割り当てられるように精確であることが好ましい。第２にＦＣＣは、フローの最小ＱｏＳキャパシティ及び追加ＱｏＳキャパシティの両方を含む、新しいデータ送信用の要求キャパシティを計算する（第６図における３４０、３４１、３５）。残存キャパシティ（ＬＯＬ）（第６図における３６０）は、ＡＣと、ＡＣＲＴとＡＣＮＴの和の差異である。最後に、次のスケジューリングインターバルに対して、もっと多くのキャパシティが必要かどうか、ＣＲが計算される。
ＧＢＲはトラフィッククラスであり、スケジューラによって所定のレベルまでキャパシティが補償されるというものである。ＧＢＲトラフィッククラスのＱｏＳパラメータは、最大容量（ＭＣ）と補償容量（ＧＣ）である。ＭＣは、許容容量の上限であり、一方ＧＣは最小補償容量である。スケジューラは、アップリンクキャパシティの利用可能性によって、ＧＣよりも多くのキャパシティを割り当てるかもしれない。
第７図には、ＧＢＲトラフィッククラスに対するＦＣＣの実施が図示されている。再送データは新伝送データよりも優先度が高いため、割り当てキャパシティが最初に再送データに割り当てられ、それから残りのキャパシティが、新伝送データに割り当てられる（第７図におけるステップ４１及び４２）。新伝送データに対する割り当てについては、最大容量（ＭＣ）のＱｏＳパラメータが上限として使用されており、下限としては、現在のフローキューサイズ（ＱＣ）か、あるいは新伝送用（ＮＤＣ）割り当てキャパシティ（ＡＣ）のいずれかである。
ＮＤＣが最大容量（ＭＣ）より大きいか、あるいはＱＣがＮＤＣより小さい時のみ、残存容量（ＬＯＣ）が正になることは明らかである。最後に、最大容量（ＭＣ）と残りのフローキューサイズ（ＱＣ−ＡＣＮＴ）を比較することによって、キャパシティリクエスト（ＣＲ）が計算される（第７図におけるステップ４３）。
ＧＢＲトラフィッククラスに対するＦＣＣの場合、最大ＱｏＳキャパシティはＧＣと等しく、一方追加ＱｏＳは、ＡＲＮＴとＧＣの差異である。
ＡＢＲは、基地局の不使用でスケジュール可能なキャパシティにおける利用の可能性に基づいて、キャパシティが割り当てられるトラフィッククラスのことである。ＡＢＲトラフィッククラスのＱｏＳパラメータは最大容量（ＭＣ）と最小容量（ＭＮＣ）である。ＭＣは許可キャパシティの上限であるのに対し、ＭＮＣは最小容量を特定する選択可能なパラメータであり、ＴＣＰ  ＡＣＫといった、小さなデータパケットを任意のタイミングで送信している。ＡＢＲ  ＦＣＣの実施は、補償容量（ＧＣ）のＱｏＳパラメータをゼロに設定した場合に、ＧＢＲ  ＦＣＣと同じになる。最小ＱｏＳキャパシティは、それゆえゼロとなり、このトラフィッククラスに割り当てられるキャパシティ全容量は、追加ＱｏＳキャパシティに属することになる。基地局は、小さなデータパケットを任意のタイミングで送信するために、少なくともＭＮＣを割り当てることが好ましい。
ＴＢＲは、ターゲットレベルでキャパシティが維持される、トラフィッククラスである。ＴＢＲトラフィッククラスのＱｏＳパラメータは、最大容量（ＭＣ）とターゲットキャパシティ（ＴＣ）である。ＭＣは許容キャパシティの上限であり、ＦＣＣは、平均キャパシティがＴＣと同じになるように、瞬間キャパシティを制御する。
第８図では、ＴＢＲ  ＦＣＣの実施の様子が示されている。再送データは、新送データよりも高い優先度を有しているため、割り当てキャパシティはまず初めに、再送データに割り当てられ、残りの割り当てキャパシティは、それから新送データに割り当てられる（第８図におけるステップ５１）。新送データへ割り当てるために、まず割り当てキャパシティの現在の移動平均（ＭＡＡＣ）と、ＴＣの格差即ち差異を計算する（第８図におけるステップ５２）。それから、ＴＣ規準を満たす要求キャパシティが計算される（第８図におけるステップ５３及び５３０）。その後、割り当てキャパシティ（ＡＣＮＴ）がＭＣ及びキューサイズ（ＱＣ）を超過しない方法で、キャパシティ割り当てが実行される（第８図におけるステップ５４）。ＭＡＡＣは、新しく計算されたＡＣＮＴを用いて、移動平均によってアップデートされ、最後に、ＴＣを漸近的に達成するために、キャパシティリクエスト（ＣＲ）が計算される（第８図におけるステップ５６）。収束速度を早めるために、指数タイプの調整機能が使用される（第８図において、５３０で示されている）。
ＴＢＲトラフィッククラスに対するＦＣＣの場合、最小ＱｏＳキャパシティは、新送信の要求キャパシティ（ＡＣＮＴ）と同じであり、ＦＣＣは追加ＱｏＳを要求しない。
つまり、ＧＢＲ、ＡＢＲ、ＴＢＲの最小ＱｏＳキャパシティは、それぞれＧＣ、Ｏ、新しいデータ送信のための要求キャパシティ（ＡＣＮＴ）である。また、ＧＢＲ、ＡＢＲ、ＴＢＲの追加ＱｏＳキャパシティは、それぞれ、ＡＣＮＴ−ＧＣ、ＡＣＮＴ及び、Ｏである。これらを比べると、ＡＢＲは、ほとんど追加ＱｏＳキャパシティを要求するトラフィッククラスを表しており、ＴＢＲは、ほとんど最小ＱｏＳキャパシティを要求するトラフィッククラスを表していると言える。ＧＢＲは、最小ＱｏＳキャパシティ及び追加ＱｏＳキャパシティの両方を要求するトラフィッククラスを表している。
第９図には、アップリンクキャパシティスケジューラの実施が示されている。スケジューリングインターバルの初めにおいて、基地局は、熱雑音、セル間干渉及び非スケジューラブルデータ伝送を含む非スケジューラブルアップリンクキャパシティを測定する（第９図における６０１）。非スケジューラブルデータ伝送は、スケジューラが制御しない潜在的負荷である。ＣＳは、最大容量と非スケジューラブルキャパシティとの差異として、利用可能且つスケジュール可能なキャパシティを計算する。
移動局からキャパシティリクエストを受信すると、基地局はキャパシティリクエストの調整を、以下のように行う（第９図における６２０）：基地局は、各移動局に対して最小許可伝送電力残存量を割り当てた後、各移動局に対する収容可能な最大容量を計算する。最小伝送残存量は、ネットワーク内における他のセルに対する干渉量を制御する。所定の最小伝送残存量における収容可能な最大容量は、要求キャパシティの全容量と比較される。収容可能な最大容量は、全容量よりも大きくなるべきであるという条件を満たすために、キャパシティリクエストの追加ＱｏＳ部分は、最も低い優先度のフローから最も高い優先度のフローの順で削減していく。もし十分でなければ、キャパシティリクエストの最小ＱｏＳ部分が、最も低い優先度のフローから最も高い優先度のフローの順に削減されていく。これでも十分でなければ、キャパシティリクエストの再送部分が、最も低い優先度のフローから最も高い優先度のフローまで削減されていく。基地局は、全ての移動局に対して要求される、再送キャパシティ（ＲＣＲＴＸ）、各優先度レベルに対する最小ＱｏＳキャパシティ（ＲＣＭＱ（１），…，ＲＣＭＱ（Ｎ））、追加ＱｏＳキャパシティ（ＲＣＥＱ（１），…，ＲＣＥＱ（Ｎ））の全容量を計算する。基地局はまた、各移動局の各フローに対して、フロー情報と報告されたキャパシティリクエストを使用して、再送キャパシティ、最小ＱｏＳキャパシティ及び追加ＱｏＳキャパシティを計算する。割り当てキャパシティの全容量を、スケジュール可能なキャパシティの全容量よりも少なく維持するために、基地局はまず初めにスケジュール可能なキャパシティを再送キャパシティに割り当てる（第９図における６１）。要求再送キャパシティの全容量に対して十分でない場合には、基地局は、最も優先度の高いフローから最も優先度の低いフローの順に再送キャパシティを割り当てる。もし、十分であれば、基地局は、最も優先度の高いフロー（第９図における６２）から、最も優先度の低いフロー（第９図における６３）まで、残りのスケジュール可能なキャパシティを最小ＱｏＳキャパシティに割り当てる。もし、さらに十分な場合は、基地局は、最も優先度の高いフロー（第９図における６４）から、最も優先度の低いフロー（第９図における６５）の順に、残りのスケジュール可能なキャパシティを、追加ＱｏＳキャパシティに割り当てる。もしフローが同じ優先度レベルにあった場合には、キャパシティは公正なスケジューリング方法において、分配されることが好ましい。最後に基地局は、各移動局の各フローに対して、割り当て再送キャパシティ、割り当て最小ＱｏＳキャパシティ及び割り当て追加ＱｏＳキャパシティの合計として、割り当てキャパシティの全容量を計算する。
第１０図には、アップリンクにおける“拡張アップリンクの異なったシグナリング”の概略図が示されている。Ｍ個の移動局（第１０図における９２）が設けられていて、基地局とのコネクションを確立し、ｉ番目の移動局はＮ（ｉ）個のフローを有する。ｉ番目の移動局のｊ番目のフローは、キャパシティリクエストＣＲ（ｉ，ｊ）を送信し、ｉ番目の移動局に対しては、Ｎ（ｉ）個のＣＲが存在することになる（第１０図における９１０）。それから、Ｎ（ｉ）個のＣＲは、キャパシティリクエストメッセージ送信機（ＣＲＭＴＸ）９１に送られ（第１０図）、その送信機はキャパシティリクエストメッセージ（ＣＲＭ）を形成し、アップリンク制御チャネル（ＵＬ−ＣＣＨ）を介してＣＲＭを送信する。各移動局は一つのＵＬ−ＣＣＨを送信し、基地局はＭ個のＵＬ−ＣＣＨを受信する（第１０図における９３）。キャパシティリクエストメッセージ受信機（ＣＲＭＲＸ）は、移動局の多重フローのＣＲを計算する（第１０図における９４）。
ＣＲＭＴＸにおいて、フローのキャパシティリクエストが調べられ、ＣＣのセットからキャパシティの最も近い組合せ（ＣＣ）が選択される。まず初めに、データフローがいくつかのグループに分割される。それからＣＣのセットが、データフローの各符号分割多元接続ループに対応する、いくつかのＣＣのサブセットに分割される。各サブセットは、対応するグループのデータフローの独自のＣＣを有している。例えば、第１１図では、その中ほどで、３つのフローが２つのグループに分割されるケースが示されている。ＣＣのセットはまた、セットサイズがそれぞれ３及び５である２つのＣＣのサブセットに分割される。第２に、各ＣＣのサブセットに対応するサブポインタが設けられている。ここで、サブポインタは基地局が送信するキャパシティ割り当てメッセージ（ＣＡＭ）によって制御されている。第３に、差動シグナリングがサブポインタに基づき送信される。最後に、多重サブポインタの差動シグナリングが、時分割方式で送信される。例えば、第１１図は、第１及び第２のサブポインタの差動シグナリングが、時間スロット３つ毎に２回及び１回ずつ送信される様子を示している。
フローのグルーピングは、上述のキャパシティ組合せの相互作用を断つために、高い優先度と低い優先度とを分けることによって、実行される。例えば、第１１図に示されている例では、第１のフローの容量変更は、第２及び第３のフローの容量には何ら影響をあたえない。それゆえ、あまり厳密でないＱｏＳ要求を有する低い優先度のフローの容量変更は、より厳密なＱｏＳ要求を有するより高い優先度のフローへの干渉にはならない。
第１１図に示されているＣＲＭフレームの形で、多重フローの差動シグナリングがアップリンク制御チャネル（ＵＬ−ＣＣＨ）にマッピングされる。これは、フレーム番号をフローのグループに関連づけることによって行なう、差動シグナリングの定期的送信に基づくものである。第１１図に挙げられている１例として、３つのフローが１つのＵＬ−ＣＣＨチャネルを共用している例があり、ここでは、３フレームのうちの２つがフローの第１のグループに割り当てられ、第２のグループフローは、３フレーム毎に一度割り当てられる。フレームが複数の周波数スロットに分割される、それらがフローの多重グループに割り当てられるのが一般的原則である。より多くの時間スロットを、高い優先度を有し、厳密なＱｏＳのフローに割り当てることによって、明確な優先度とＱｏＳを有する多重フロー間におけるアンバランスなシグナリング帯域分配が可能になる。
その結果、サブポインタ１は常に、第１のグループの１２８、６４、及び０のいずれか一つを示し、サブポインタは５つのＣＣのうちのいずれか一つを示す。
キャパシティリクエストメッセージ（ＣＲＭ）の例が第１１図に示されており、３つのデータフローがＣＲＭフレームを共用しているが、これは３フレームのうちの２つがフローの第１のグループに割り当てられ、第２グループにおけるフローは、３フレーム毎に一度割り当てられることによるものである。
この例において、高い優先度及びＱｏＳ規準を有するフロー１が、帯域の６６％に割り当てられ、フロー２及び３は、優先度が低く且つＱｏＳもあまり厳密でないため、帯域の３３％に割り当てられる。
ＣＲＭの時間スロットの割り当てについての一般的アプローチが、第１２図に示されている。第１のアプローチは、周期的（定期的）アプローチで（フレームフォーマットＡ）、各ＣＲＭフレームは、Ｌ個のキャパシティリクエスト（ＣＲ）スロットを含み、Ｐ個のフレームの周期性を有する。それゆえ全体では、データフローの複数グループに、Ｌ＊ＰＣＲチャネルを割り当てることが可能である。そして、１つ以上のＣＲチャネルをデータフローのグループに割り当てることができる。第２のアプローチは、非定期的なものであり（フレームフォーマットＢ）。各ＣＲＭフレームはＬ個のＣＲスロットを有するが、ＣＲＭフレームは周期性を持たない。この非周期性のために、ＣＲチャネルとデータフローのグループの間では、予め規定されたマッピングが存在しない。それゆえ、差動シグナリングに加えて、グループＩＤを送信することが必要となる。移動局の現在の利用可能送信電力残存量（ＴＸＰＨＲ）が、各ＣＲＭに送信される。
より具体的には、第１２図はＣＲＭの２フレーム構造、即ち、ＣＲＭフレームフォーマットＡとＢを示している。双方のフレーム構造により、フレームの終端に設けられる送信電力残存量を有するフレームによって、ＣＲのスロット多重が可能となる。フレームフォーマットＡはＣＲだけを有するが、フレームフォーマットＢの場合は“フローグループ”ＩＤ番号（ＧＩＤ）が付加される。
ＣＲＭフレームフォーマットＡは、フレーム番号をＧＩＤと関連づけることによりＣＲの定期的送信を可能としている。一例が第１３図のｃ１に示されている。例に示しているように、４つのフローグループ（番号１〜４）が２つのスロット（第１及び第２のスロット）を共用している。これは、第１のスロットの偶数と奇数のフレーム番号が、ＧＩＤの１及び２にそれぞれ割り当てられ、第２のスロットはＧＩＤが３及び４に割り当てられるような方法で行なわれる。特に、ＧＩＤ３及び４が、４フレーム毎にそれぞれ３個のスロットと１個のスロットに割り当てられる。
一般的原則によれば、フロー１セットが１つのスロットに割り当てられ、フロー１セットのＣＲは、定期的方法において、スロットに多重化される。Ｎ番号のフローが多重化される時の最大周期は、ｋ＊Ｎとなり、ｋは１以上の任意の整数である。もしｋ＝１であるならば、全てのフローが同じ時間部分を有するスロットを共用し、ｋ＞１の場合には、フロー間で異なった時分割が可能となる。上述の例において、ＧＩＤが１あるいは２のときは、同じ時間部分を有するスロット１を共用し、ＧＩＤが３の時には、ＧＩＤが４の場合よりスロット２の時間部分が３倍も消費する。
ＣＲＭフレームフォーマットＡの向上のため、ＣＲを繰り返し送信し、基地局において合成することも可能である。繰り返し回数は、各モバイルに対して特有としてよい。
ＣＲＭフレームフォーマットＡの利点は、フレーム番号とＧＩＤの関係があらかじめ決定されているので、ＧＩＤを送信する必要がない点である。これは、複数の移動局からＣＲＭを送信する時に、キャパシティオーバーヘッドを削減するのに効果的である。
ＣＲＭフレームフォーマットＢは、ＣＲに加えてＧＩＤの送信を可能とする。第１３図のｃ２に示されている例では、４つのフローが２つのスロットを共用している。基本的な原理は、移動局が全てのＣＲＭから次のＣＲで送信するＬ個のフローを決定する。それゆえ、フレームフォーマットＡと異なり、フロー固定された時間割り当てはない。
ＣＲＭフレームフォーマットＢの向上のため、ＣＲを繰り返し送信し、基地局において合成することも可能である。繰り返し回数は、各モバイルに対して特有としてよい。
フレームフォーマットＢの利点は、ＣＲの伝送遅延が、効果的なスロット割り当てによって削減されることである。
フレームフォーマットＢに対するＣＲ選択スキームが、第１４図に示されている。もし、ＣＲを送信したいＮ個のフローのセットがある時、各ＣＲには一組の条件に対するテストが実施され、順序つけられてセット内に配置される。ＣＲの順序つけられたセットから、最も優先度の高い順にＬ個のＣＲがＣＲＭに組み込まれるために選択される。順序づけの第１の規準は、ＣＲが、割り当てキャパシティをキャパシティスケジューラに戻すか否かである（第１４図における‘ｄｌ’。）
この条件は、ＣＲＭスロットが不足していることによりキャパシティが無駄に確保されないための、最もプライオリティの高い条件である。順序づけにおける２番目にプライオリティの高い条件は、ＣＲが再送を要求するかどうかである。これは、ＣＲＭスロットが不足していることにより、パケット伝送遅延が増加することを防ぐためのものである。順序づけにおける最後の条件は、フローの優先度と最小ＱｏＳが満たされているかどうかである。これは、より優先度の低いフローよりも先に、より優先度の高いフローのＣＲを伝送するためのものである。また、最小ＱｏＳを満たさない、より優先度の低いフローが、最小ＱｏＳを満たす、より優先度の高いフローより先に、ＣＲを送信することができる。
（第２の実施形態）
次に本発明の第２の実施形態に関して説明する。
第１５図は第２の実施形態に用いられるアップリンク及びダウンリンクチャネルを含む、複数の移動局と一つの基地局を有するシステム構成を示している。
第１５図が第１の実施形態におけるシステム構成を示す第５図と異なる点は、第５図におけるＣＡＣを具備していない点である。その代わり、第２の実施形態におけるシステム構成では、基地局が送信するＣＡＭはＴＦＣＣ「２１５」にて受信される。ＣＡＭは、各移動局に割り当てられた総割り当てキャパシティを示しており、ＴＦＣＣは総割り当てキャパシティ以下で、且つ移動局の最大電力以下となるようなトランスポートフォーマットの組み合わせを選択する。このときＴＦＣＣは優先度の高いフローの要求品質が、優先度の低いフローの要求品質よりも先に満たされるようにトランスポートフォーマットの組み合わせを決定する。その後、ＴＦＣＣは選択したトランスポートフォーマットの組み合わせを示すＴＦＣＩを基地局に送るとともに、選択したトランスポートフォーマットの組み合わせに関する情報をＦＣＣへ送る。
ＦＣＣは、選択したトランスポートフォーマットの組み合わせの情報から各データフローに割り当てられたキャパシティの情報を取り出し、フローの要求ＱｏＳに基づいて、データフローの要求アップリンクキャパシティを計算しキャパシティリクエスト（ＣＲ）を生成する。その後は、ＣＲはＣＲＣに送られ、第１の実施形態と同様な手順で多重化し、キャパシティリクエストメッセージ（ＣＲＭ）として基地局にあるキャパシティスケジューラー（ＣＳ）に送信される。
ここで、第２の実施形態におけるＣＳは、第９図で説明した第１の実施形態におけるＣＳと同じ手順で各フローの割り当てキャパシティを計算する。その後、本実施形態におけるＣＳは、計算した各フローに対する割り当てキャパシティの合計（総割り当てキャパシティ）を計算し、総割り当てキャパシティを示すキャパシティ割り当てメッセージ（ＣＡＭ）を下り回線において移動局に送信する。
以上に述べた点が、第２の実施形態が第１の実施形態と異なる点であり、それ以外の部分は第１の実施形態と同じであるため省略する。
【図１】
0004748313.tif 000002
【図２】
0004748313.tif 000003
【図３】
0004748313.tif 000004
【図４】
0004748313.tif 000005
【図５】
0004748313.tif 000006
【図６】
0004748313.tif 000007
【図７】
0004748313.tif 000008
【図８】
0004748313.tif 000009
【図９】
0004748313.tif 000010
【図１０】
0004748313.tif 000011
【図１１】
0004748313.tif 000012
【図１２】
0004748313.tif 000013
【図１３】
0004748313.tif 000014
【図１４】
0004748313.tif 000015
【図１５】
0004748313.tif 000016